(57)【要約】【課題】テレビアンテナからテレビジョンまでの間のビデオ信号が減衰されるのを極力軽減でき、良好なビデオ画像が得られること。【解決手段】アンテナ伝送経路１は、テレビアンテナ２と、テレビジョン（ＴＶ）３とが光ファイバー手段４を介して接続されている。光ファイバー手段４は、光ファイバー５と、光ファイバー５の一端に装着され、かつテレビアンテナ２から引き出された変換器８と接続する電光変換素子６と、光ファイバー５の他端に装着され、かつテレビジョン３のビデオ入力端子９と接続する光電変換素子７とを有している。【選択図】  図１
2004304748.tif 000002
【特許請求の範囲】
【請求項１】
テレビジョンと、テレビ電波の受信によりビデオ信号に変換出力するテレビアンテナとの間に敷設されるアンテナ伝送経路において、
前記テレビアンテナからのビデオ信号を光ファイバー手段を介して前記テレビジョンに伝送することを特徴とするアンテナ伝送経路。
【請求項２】
請求項１記載のアンテナ伝送経路において、
前記光ファイバー手段は、光ファイバーと、該光ファイバーの一端に装着され、前記テレビアンテナからのビデオ信号を光ビデオ信号に変換する電光変換素子と、前記光ファイバーの他端に装着され、前記光ビデオ信号をビデオ信号に変換する光電変換素子とを有することを特徴とするアンテナ伝送装置。
【請求項３】
テレビ電波の受信によりビデオ信号に変換出力する変換器を備えるテレビアンテナにおいて、
前記変換器は、出力部に前記ビデオ信号を光ビデオ信号に変換出力する電光変換素子を備えることを特徴とするテレビアンテナ。
【請求項４】
ビデオ入力端子に入力されるビデオ信号に基づいて、ビデオ画像を再生するテレビジョンにおいて、
前記ビデオ入力端子は、光ファイバーと接続可能に形成された光電変換素子を有することを特徴とするテレビジョン。
【請求項５】
請求項３記載のテレビアンテナの前記電光変換素子と、請求項４記載のテレビジョンの前記光電変換素子とを光ファイバーで接続することを特徴とするアンテナ伝送経路。
【発明の詳細な説明】
【０００１】
【発明の属する技術分野】
本発明は、アンテナ伝送経路及びテレビアンテナ並びにテレビジョンに係り、特に、テレビアンテナからテレビまで伝送されるビデオ信号を改善する技術に関するものである。
【０００２】
【従来の技術】
一般に、テレビアンテナとテレビジョンとの間は、同軸ケーブルやフィーダー線のようなアンテナ伝送経路によって接続されている。このようアンテナ伝送経路は、一般の家庭配線は勿論、マンションのような集合住宅にあっても同様である。
そのため、通常、テレビアンテナには、テレビ電波を受信するとビデオ信号に変換する変換器が備えられ、テレビジョンには、そのビデオ信号が入力されるビデオ入力端子が装着されている。
【０００３】
【発明が解決しようとする課題】
ところで、上記アンテナ伝送経路にあっては、テレビアンテナからテレビジョンまでの経路が同軸ケーブル又はフィーダー線によって導かれているものの、その同軸ケーブルやフィーダー線は、数メートル程度の距離でも利得（ゲイン）が減衰するので、テレビアンテナからの受信信号が減衰されてテレビジョンのビデオ画像が劣化するという問題がある。
そのため、減衰を防止するため、ブースター（増幅器）を設置しているところがあるが、著しい場合は一戸建ての家庭でも数台のブースターを設置しているばかりでなく、アパート及びマンションのような集合住宅にあっては能力的にもまたコスト的にもかなりのブースターを設置しているのが現状であった。しかも、ブースターを用いると、それなりに画像が改善されるものの、受信信号のみならず、ノイズをも増幅するという不具合もある。
【０００４】
本発明の目的は、上記従来技術の問題点に鑑み、テレビアンテナからテレビジョンまで間の受信信号が減衰されるのを極力軽減することができ、良好なビデオ画像が得られるアンテナ伝送経路及びテレビアンテナ並びにテレビジョンを提供することにある。
【０００５】
【課題を解決するための手段】
上記課題を解決するために本発明においては、以下の手段を採用している。
請求項１に係る発明は、テレビジョンと、テレビ電波の受信によりビデオ信号に変換出力するテレビアンテナとの間に敷設されるアンテナ伝送経路において、前記テレビアンテナからのビデオ信号を光ファイバー手段を介して前記テレビジョンに伝送することを特徴とする。
【０００６】
この発明によれば、アンテナ伝送経路に光ファイバー手段が用いられているので、全ての経路に同軸ケーブルやフィーダー線を用いた場合に比較すると、テレビアンテナからの受信信号がテレビジョンまでに至る間、受信信号が減衰するのを確実に軽減することができ、受信信号の伝達が良好に行われる。
【０００７】
請求項２に係る発明は、請求項１記載のアンテナ伝送経路において、前記光ファイバー手段は、光ファイバーと、該光ファイバーの一端に装着され、前記テレビアンテナからのビデオ信号を光ビデオ信号に変換する電光変換素子と、前記光ファイバーの他端に装着され、前記光ビデオ信号をビデオ信号に変換する光電変換素子とを有することを特徴とする。
この発明によれば、光ファイバーと、それに装着された電光変換素子及び光電変換素子とを有するので、テレビアンテナとテレビジョン間を光ビデオ信号に変換して伝送することができ、これにより、テレビジョンに対し減衰の少ない受信信号を確実に出力することができる。
【０００８】
請求項３に係る発明は、テレビ電波の受信によりビデオ信号に変換出力する変換器を備えるテレビアンテナにおいて、前記変換器は、出力部に前記ビデオ信号を光ビデオ信号に変換する電光変換素子を備えることを特徴とする。
この発明によれば、変換器が電光変換素子を備えていると、テレビアンテナによりビデオ信号が光ビデオ信号として出力されるので、光ファイバーと接続することができ、減衰の少ないアンテナ伝送経路の実現が可能となる。
【０００９】
請求項４に係る発明は、ビデオ入力端子に入力されるビデオ信号に基づいて、ビデオ画像を再生するテレビジョンにおいて、前記ビデオ入力端子は、光ファイバーと接続可能に形成された光電変換素子を有することを特徴とする。
この発明によれば、テレビジョンのビデオ入力端子が光電変換素子からなると、光ファイバーによって伝送されたテレビアンテナからの受信信号をそのままテレビジョンに入力することができるので、減衰しにくい受信信号を得ることができる。
【００１０】
請求項５に係る発明は、請求項３記載のテレビアンテナの前記電光変換素子と、請求項４記載のテレビジョンの前記光電変換素子とを光ファイバーで接続することを特徴とする。
この発明によれば、テレビアンテナの接続器と、テレビジョンのビデオ入力端子とがそれぞれ電光変換素子からなっていると、テレビアンテナ及びテレビジョンの双方を光ファイバーで接続することで減衰の少ない利得を得ることができると共に、外乱ノイズの影響を受けるおそれもなくなり、受信信号の劣化を大幅に軽減することができる。
【００１１】
【発明の実施の形態】
以下、本発明の実施の形態を図１〜図３に基づいて説明する。図１は本発明の第１の実施形態に係るアンテナ伝送経路を示す図である。
図１に示すアンテナ伝送経路１は、テレビアンテナ２と、テレビジョン（ＴＶ）３とが光ファイバー手段４を介して接続されている。
光ファイバー手段４は、光ファイバー５と、光ファイバー５の一端に装着され、かつテレビアンテナ２から引き出された変換器８と接続する電光変換素子６と、光ファイバー５の他端に装着され、かつテレビジョン３のビデオ入力端子９と接続する光電変換素子７とを有している。
【００１２】
この場合、光ファイバー５は、光ファイバー心線が外皮によって覆われ、許容半径以下で屈曲しにくく構成された一般的なものでよい。電光変換素子６は、変換器８がテレビアンテナ２の受信信号をビデオ信号に変換して出力されたとき、そのビデオ信号を光ビデオ信号に変換するものである。光電変換素子７は、光ファイバー５を経た光ビデオ信号をビデオ信号に変換するものであって、本例では壁１１に埋設されており、テレビジョン３のビデオ入力端子９に接続された同軸ケーブル（又はフィーダー線）１０と接続されることで、テレビアンテナ２からのビデオ信号がテレビジョン３に出力されるようにする。同軸ケーブル１０には、光電変換素子７と接続するためのコネクタ１２が設けられている。
【００１３】
なお、テレビアンテナ２の変換器８は、テレビアンテナ２がテレビ電波を受信すると、映像信号と音声信号からなる受信信号、いわゆるビデオ信号に変換して出力するためのものであり、テレビアンテナ２自体に装着されている。テレビジョン３のビデオ入力端子９は、公知のものであって、これにビデオ信号が入力されることで、テレビジョン３が音声付きのビデオ画像を再生するように構成されている。
【００１４】
このように構成されたアンテナ伝送経路１は、テレビアンテナ２がテレビ電波を受信すると、そのテレビ電波を変換器８によってビデオ信号に変換する一方、変換されたビデオ信号がテレビジョン３に入力されることで、テレビジョン３がビデオ信号に基づいて音声付きのビデオ画像を再生することとなる。
【００１５】
その場合、アンテナ伝送経路１に光ファイバー手段４が用いられているので、従来のように全てのアンテナ伝送経路に同軸ケーブルやフィーダー線を用いた場合に比較すると、利得が減衰するのを確実に軽減することができる。そのため、テレビアンテナ２からテレビジョン３までに至る間でのビデオ信号の伝達が良好に行われる結果、テレビジョン３に映し出されるビデオ画像（音声を含む）を良好に再生することができる。
【００１６】
従って、この実施形態によれば、光ファイバー４手段を用いることで、良好なビデオ画像が得られるので、ブースター等を用いることが不要になる。このようなことは、一戸建ての住宅は勿論の他、アパート，マンションのような集合住宅にあっては、極めて有効となる。
【００１７】
但し、上記実施形態において、テレビジョン３のビデオ入力端子９に接続された同軸ケーブル１０の長さが長いと、その間でビデオ信号が減衰されるので、同軸ケーブル１０の長さを可及的に短くすることで利得の減衰を抑えるようにするのが望ましい。
【００１８】
図２は、本発明の第２の実施形態に係るアンテナ伝送経路を示している。
前述した実施形態では、テレビアンテナ２と接続された光ファイバー手段４が電光変換素子６及び光電変換素子７を有する例を示したが、この実施形態においては、光ファイバー手段４の光ファイバー５がテレビジョン３に接続されるようにしたものである。
【００１９】
即ち、この実施形態は、光ファイバー５の一端に装着された電光変換素子６がテレビアンテナ２の変換器８と接続される一方、光ファイバー５の他端が壁１１に埋設されて、テレビ側光ファイバー１３のコネクタ１２ａと接続されることで、テレビジョン３のビデオ入力端子９ａに光接続されるようにしている。つまり、テレビジョン３のビデオ入力端子９ａは、テレビ側光ファイバー１３と接続可能に形成されてあって、光電変換素子を有している。そのため、テレビジョン３は、詳細に図示していないが、ビデオ入力回路において光電変換素子によって変換された光ビデオ信号をビデオ信号に変換することで、ビデオ画像が得られるように構成されている。
【００２０】
この実施形態によれば、光ファイバー手段４の光ファイバー５が電光変換素子６を有するものの、前述した第１の実施形態に比較すると、その他端が光電変換素子７を有することがなく、テレビ側光ファイバー１３を介してテレビジョン３のビデオ入力端子９ａに光接続されるので、テレビジョン３に対して減衰しにくいビデオ信号を出力することができる。
そして、このテレビジョン３によれば、前記光ファイバー５によって導かれた光ビデオ信号が入力されることで、より良好なビデオ画像を再生することができる。
【００２１】
図３は、本発明の他の実施形態に係るアンテナ伝送経路を示している。
この場合は、テレビアンテナ２に備えられている変換器８の出力部が、電光変換素子１４で構成され、テレビアンテナ２がテレビ電波を受信することでビデオ信号を生成したとき、そのビデオ信号を光ビデオ信号に変換して出力するようになっている。
【００２２】
そのため、テレビアンテナ２の出力部である電光変換素子１４に、光ファイバ手段４の光ファイバー５の一端がコネクタ（図示せず）を介して接続されると共に、光ファイバー５の他端がコネクタ１２ａを介し、テレビジョン３のビデオ入力端子９ａに接続されたテレビ側光ファイバー１３と接続されている。なお、図３において、図２と同一部分には同一符号を付している。
【００２３】
従って、この実施形態によれば、テレビアンテナ２の接続器８の出力部と、テレビジョン３のビデオ入力端子９ａとが電光変換素子からなっているので、両者２，３間を前記光ファイバー５、１３で接続することで、減衰の少ない利得を得ることができると共に、外乱ノイズの影響を受けるおそれもなくなり、ビデオ信号の劣化を大幅に軽減することができる一方、テレビアンテナの受信感度上の信頼性も高まる利点がある。
【００２４】
【発明の効果】
以上説明したように、本発明によれば、テレビアンテナからのビデオ信号を光ファイバー手段を介してテレビジョンに伝送し、テレビアンテナからの受信信号がテレビジョンまでに至る間、減衰するのを軽減できるように構成したので、テレビアンテナからテレビジョンまでの間での受信信号の伝達が良好に行われる結果、劣化の少ない受信信号をテレビジョンに出力できるという効果が得られる。
【００２５】
また、本発明によれば、テレビアンテナによりビデオ信号が光ビデオ信号として出力されるように構成したので、光ファイバーと接続することができ、減衰の少ないアンテナ伝送経路の実現が可能となる効果が得られる。
【００２６】
さらに、本発明によれば、テレビアンテナ及びテレビジョンの双方を光ファイバーで接続することで減衰の少ない利得を得ることができると共に、外乱ノイズの影響を受けるおそれもなくなり、受信信号の劣化を大幅に軽減することができる効果が得られる。
【図面の簡単な説明】
【図１】本発明の第１の実施形態のアンテナ伝送経路に係る全体図である。
【図２】本発明の第２の実施形態のアンテナ伝送経路に係る全体図である。
【図３】本発明の他の実施形態のアンテナ伝送経路に係る全体図である。
【符号の説明】
１…アンテナ伝送経路
２…テレビアンテナ
３…テレビジョン
４…光ファイバー手段
５…光ファイバー
６…電光変換素子
７…光電変換素子
８…テレビアンテナの変換器
９，９ａ…テレビジョンのビデオ入力端子
１３…テレビ側光ファイバー
１４…電光変換素子（変換器の出力部）
【図１】
2004304748.tif 000003
【図２】
2004304748.tif 000004
【図３】
2004304748.tif 000005